(57)【要約】【課題】  折畳式携帯電話機において、開いた状態と閉じた状態とで、出力する音の音圧が異なってしまう。【解決手段】  第１の筐体１１０の前面に前面音孔１ａを形成し、背面に背面音孔２ａを形成する。開いた状態では、背面音孔蓋２９が背面音孔２ａを塞いで、可動式リブ２８が、スピーカ６の前面側の空間を密閉する。閉じた状態では、前面音孔蓋３０が前面音孔１ａを塞いで、可動式リブ２７が、背面側の空間を密閉する。ここで、開いた状態で密閉するスピーカ６の前面側の空間の体積と、閉じた状態で密閉するスピーカ６の背面側の空間の体積とが同じになるように構成する。【選択図】  図１
2006060400.tif 000002
【特許請求の範囲】
【請求項１】
表示部を有する第１の筐体と、操作部を有する第２の筐体とを備えた折畳式携帯情報端末において、
前記第１の筐体と前記第２の筐体とが閉じた状態である閉状態で前記第２の筐体に接する前記第１の筐体における面である前面と、前記前面の反対側の面である背面とのそれぞれに、前記第１の筐体の内部に設置されたスピーカが出力した音を放出する穴である音孔が設けられ、
前記第１の筐体または前記第２の筐体に、前記閉状態で前記前面の前記音孔を塞ぐ前面音孔閉塞手段と、前記第１の筐体と前記第２の筐体とが開いた状態である開状態で前記背面の前記音孔を塞ぐ背面音孔閉塞手段とが設けられた
ことを特徴とする折畳式携帯情報端末。
【請求項２】
第１の筐体に、折畳式携帯情報端末の開状態から閉状態への遷移に連動して移動し、スピーカと前記第１の筐体の背面側の内面との間の空間である背面側空間を背面の音孔を除いて密閉する背面側空間密閉手段と、折畳式携帯情報端末の閉状態から開状態への遷移に連動して移動し、前記スピーカと前記第１の筐体の前面側の内面との間の空間である前面側空間を前面の音孔を除いて密閉する前面側空間密閉手段とが設けられ、
前記背面側空間密閉手段と、前記前面側空間密閉手段とは、前記背面側空間と前記前面側空間とが同じ体積になるように密閉する
請求項１記載の折畳式携帯情報端末。
【請求項３】
背面側空間密閉手段は、折畳式携帯情報端末の閉状態から開状態への遷移に連動して移動することによって背面側空間を開放し、
前面側空間密閉手段は、折畳式携帯情報端末の開状態から閉状態への遷移に連動して移動することによって前面側空間を開放する
請求項２記載の折畳式携帯情報端末。
【請求項４】
第１の筐体に、前面音孔閉塞手段として、折畳式携帯情報端末の開状態から閉状態への遷移に連動して移動することによって前面の音孔を塞ぐ蓋と、背面音孔閉塞手段として、折畳式携帯情報端末の閉状態から開状態への遷移に連動して移動することによって背面の音孔を塞ぐ蓋とが設けられた
請求項１から請求項３のうちいずれか１項記載の折畳式携帯情報端末。
【請求項５】
第１の筐体に、
折畳式携帯情報端末の開状態から閉状態への遷移に連動して、前面の音孔を塞ぐように前面音孔閉塞手段を移動させるとともに前面側空間を開放するように前面側空間密閉手段を移動させ、前記折畳式携帯情報端末の閉状態から開状態への遷移に連動して、前記前面の音孔を開放するように前記前面音孔閉塞手段を移動させるとともに前記前面側空間を前記前面の音孔を除いて密閉するように前記前面側空間密閉手段を移動させる前面側シャフトと、
前記折畳式携帯情報端末の開状態から閉状態への遷移に連動して、背面の音孔を開放するように背面音孔閉塞手段を移動させるとともに背面側空間を前記背面の音孔を除いて密閉するように背面側空間密閉手段を移動させ、前記折畳式携帯情報端末の閉状態から開状態への遷移に連動して、前記背面の音孔を塞ぐように前記背面音孔閉塞手段を移動させるとともに前記背面側空間を開放するように前記背面側空間密閉手段を移動させる背面側シャフトとが設けられた
請求項２から請求項４のうちいずれか１項記載の折畳式携帯情報端末。
【請求項６】
第２の筐体に、前面音孔閉塞手段として、折畳式携帯情報端末が開状態から閉状態に遷移すると第１の筐体の前面の音孔を塞ぐ突起部が設けられ、
前記第１の筐体に、背面音孔閉塞手段として、折畳式携帯情報端末の閉状態から開状態への遷移に連動して移動することによって背面の音孔を塞ぐ蓋が設けられた
請求項１から請求項３のうちいずれか１項記載の折畳式携帯情報端末。
【請求項７】
第１の筐体に、
折畳式携帯情報端末の開状態から閉状態への遷移に連動して、前面側空間を開放するように前面側空間密閉手段を移動させ、前記折畳式携帯情報端末の閉状態から開状態への遷移に連動して、前面側空間を前記前面の音孔を除いて密閉するように前記前面側空間密閉手段を移動させる前面側シャフトと、
前記折畳式携帯情報端末の開状態から閉状態への遷移に連動して、背面の音孔を開放するように背面音孔閉塞手段を移動させるとともに背面側空間を前記背面の音孔を除いて密閉するように背面側空間密閉手段を移動させ、前記折畳式携帯情報端末の閉状態から開状態への遷移に連動して、前記背面の音孔を塞ぐように前記背面音孔閉塞手段を移動させるとともに前記背面側空間を開放するように前記背面側空間密閉手段を移動させる背面側シャフトとが設けられた
請求項２、請求項３および請求項６のうちいずれか１項記載の折畳式携帯情報端末。
【請求項８】
第１の筐体に、表示部と前面側の音孔とを覆い、前記前面側の前記音孔から放出されるスピーカの音に従って振動する板が設けられた
請求項１から請求項７のうちいずれか１項記載の折畳式携帯情報端末。
【発明の詳細な説明】
【技術分野】
【０００１】
本発明は、スピーカから音を出力する折畳式携帯情報端末に関する。
【背景技術】
【０００２】
携帯電話機において、スピーカは、着信を知らせる着信音を発生させるために用いられてきたが、近年、携帯電話機へ配信された音楽等の出力、ハンズフリー通話やテレビ電話機能等でも用いられるようになっている。折畳式携帯電話機では、通常の待ち受け状態である閉じた状態で着信音を鳴動することが多いが、開いた状態で音楽を聴いたり、画面を見ながら会話をしたりと、折畳式携帯電話機を開いた状態で使用されることも多くなりつつある。
【０００３】
従来の折畳式携帯電話機では、開いた状態での使用に対応できるように、スピーカの取り付け位置や、スピーカが出力した音声を放出する穴である音孔の位置を配慮したり、スピーカの特性を改善したり、２箇所にスピーカを実装したりしていた。
【０００４】
第１の筐体と第２の筐体とを接続するヒンジ部にスピーカを備え、開いた状態で露呈する面と、閉じた状態で露呈する面とに音孔を形成した開閉式携帯端末装置が提案されている（例えば、特許文献１参照。）。
【０００５】
また、第１の筐体または第２の筐体のいずれかにスピーカを備え、スピーカを備えた筐体の正面と側面とに音孔を形成した携帯電話機が提案されている（例えば、特許文献２参照。）。
【０００６】
【特許文献１】特開２００３−３１９０４１号公報  （段落００２６〜００５４、図１）
【特許文献２】特開２００３−１３４２０１号公報  （段落００１２〜００１９、図３）
【発明の開示】
【発明が解決しようとする課題】
【０００７】
しかし、スピーカの取り付け位置や、音孔の位置を配慮したり、スピーカの特性を改善したりしても、折畳式携帯電話機を開いた状態と閉じた状態とで音圧や周波数特性に差がでてしまう。具体的には、例えば、開いた状態のＬＣＤ面やキーシート面にスピーカを設置すると、折畳式携帯電話機を開いた状態では十分な音圧を確保することができるが、閉じた状態では、音圧が劣化してしまうという問題がある。なお、前面と背面とにそれぞれ音孔を設けても、前面の音孔から放出される音と背面の音孔から放出される音とで音を打ち消し合ってしまい、十分な音圧の音を放出することができないという問題がある。また、スピーカを２箇所に実装すると、折畳式携帯電話機の小型化や形状が制限され、コストもかかるという問題がある。
【０００８】
また、特許文献１に記載されている開閉式携帯端末装置は、ヒンジ部にスピーカを備えるため、ヒンジ部の小型化が困難となり、開閉式携帯端末装置の小型化や形状が制限されてしまうという問題がある。
【０００９】
特許文献２に記載されている携帯電話機は、筐体の正面の音孔から出力される音圧と、筐体の側面の音孔から出力される音圧とに差がでてしまうという問題がある。
【００１０】
そこで、本発明は、開いた状態と閉じた状態とで、出力する音の音圧や周波数特性に変化を生じない折畳式携帯情報端末を提供することを目的とする。
【課題を解決するための手段】
【００１１】
本発明による折畳式携帯情報端末は、表示部を有する第１の筐体と、操作部を有する第２の筐体とを備えた折畳式携帯情報端末であって、第１の筐体において、第１の筐体と第２の筐体とが閉じた状態である閉状態で第２の筐体と接する面である前面と、前面の反対側の面である背面とのそれぞれに、第１の筐体内部に設置されたスピーカが出力した音を放出する穴である音孔が設けられ、第１の筐体または第２の筐体に、閉状態で前面の音孔を塞ぐ前面音孔閉塞手段と、第１の筐体と第２の筐体とが開いた状態である開状態で背面の音孔を塞ぐ背面音孔閉塞手段とが設けられたことを特徴とする。
【００１２】
第１の筐体に、折畳式携帯情報端末の開状態から閉状態への遷移に連動して移動し、スピーカと第１の筐体の背面側の内面との間の空間である背面側空間を背面の音孔を除いて密閉する背面側空間密閉手段と、折畳式携帯情報端末の閉状態から開状態への遷移に連動して移動し、スピーカと第１の筐体の前面側の内面との間の空間である前面側空間を前面の音孔を除いて密閉する前面側空間密閉手段とが設けられてもよく、背面側空間密閉手段と、前面側空間密閉手段とは、背面側空間と前面側空間とが同じ体積になるように密閉してもよい。
【００１３】
背面側空間密閉手段は、折畳式携帯情報端末の閉状態から開状態への遷移に連動することによって移動して背面側空間を開放してもよく、前面側空間密閉手段は、折畳式携帯情報端末の開状態から閉状態への遷移に連動して移動することによって前面側空間を開放してもよい。
【００１４】
第１の筐体に、前面音孔閉塞手段として、折畳式携帯情報端末の開状態から閉状態への遷移に連動して移動することによって前面の音孔を塞ぐ蓋と、背面音孔閉塞手段として、折畳式携帯情報端末の閉状態から開状態への遷移に連動して移動することによって背面の音孔を塞ぐ蓋が設けられてもよい。
【００１５】
第１の筐体に、折畳式携帯情報端末の開状態から閉状態への遷移に連動して、前面の音孔を塞ぐように前面音孔閉塞手段を移動させるとともに前面側空間を開放するように前面側空間密閉手段を移動させ、折畳式携帯情報端末の閉状態から開状態への遷移に連動して、前面の音孔を開放するように前面音孔閉塞手段を移動させるとともに前面側空間を前面の音孔を除いて密閉するように前面側空間密閉手段を移動させる前面側シャフトと、折畳式携帯情報端末の開状態から閉状態への遷移に連動して、背面の音孔を開放するように背面音孔閉塞手段を移動させるとともに背面側空間を背面の音孔を除いて密閉するように背面側空間密閉手段を移動させ、折畳式携帯情報端末の閉状態から開状態への遷移に連動して、背面の音孔を塞ぐように背面音孔閉塞手段を移動させるとともに背面側空間を開放するように背面側空間密閉手段を移動させる背面側シャフトとが設けられてもよい。
【００１６】
第２の筐体に、前面音孔閉塞手段として、折畳式携帯情報端末が開状態から閉状態に遷移すると第１の筐体の前面の音孔を塞ぐ突起部が設けられてもよく、第１の筐体に、背面音孔閉塞手段として、折畳式携帯情報端末の閉状態から開状態への遷移に連動し、移動して背面の音孔を塞ぐ蓋が設けられてもよい。
【００１７】
第１の筐体に、折畳式携帯情報端末の開状態から閉状態への遷移に連動して、前面側空間を開放するように前面側空間密閉手段を移動させ、折畳式携帯情報端末の閉状態から開状態への遷移に連動して、前面側空間を前面の音孔を除いて密閉するように前面側空間密閉手段を移動させる前面側シャフトと、折畳式携帯情報端末の開状態から閉状態への遷移に連動して、背面の音孔を開放するように背面音孔閉塞手段を移動させるとともに背面側空間を背面の音孔を除いて密閉するように背面側空間密閉手段を移動させ、折畳式携帯情報端末の閉状態から開状態への遷移に連動して、背面の音孔を塞ぐように背面音孔閉塞手段を移動させ、背面側空間を開放するように背面側空間密閉手段を移動させる背面側シャフトとが設けられてもよい。
【００１８】
第１の筐体に、表示部と前面側の音孔とを覆い、前面側の音孔から放出されるスピーカの音に従って振動する板が設けられてもよい。そのような構成によれば、表示部と前面側の音孔とを含む面の全面から、スピーカが出力した音を放出することができる。
【発明の効果】
【００１９】
本発明によれば、折畳式携帯情報端末を開いた状態と閉じた状態とで、出力する音の音圧や周波数特性の変化を生じさせないようにすることができる。
【発明を実施するための最良の形態】
【００２０】
実施の形態１．
本発明の第１の実施の形態について、折畳式携帯情報端末の一例として折畳式携帯電話機１００を例に、図面を参照して説明するが、本発明は折畳式携帯電話機１００に限定するものではなく、例えば、折畳式ＰＤＡ（携帯情報端末）等であってもよい。図１は、折畳式携帯電話機１００の第１の実施の形態の一外観例を示す正面図である。図１（ａ）は、折畳式携帯電話機１００を開いた状態の前面図である。図１（ｂ）は、折畳式携帯電話機１００を開いた状態の背面図である。なお、折畳式携帯電話機１００において、表示部９や、操作部１１を有する面を前面とし、前面の反対側の面を背面とする。また、折畳式携帯電話機１００を、表示部９を含む第１の筐体１１０と、操作部１１を含む第２の筐体１２０とが接するように折り畳んだ状態を閉じた状態（閉状態）といい、第１の筐体１１０と第２の筐体１２０とを、表示部９と操作部１１とが前面に露出するようにした状態を開いた状態（開状態）という。図２は、折畳式携帯電話機１００の第１の実施の形態の一外観例を示す側面図である。図２（ａ）は、折畳式携帯電話機１００を開いた状態の側面図である。図２（ｂ）は、折畳式携帯電話機１００を閉じた状態の側面図である。
【００２１】
折畳式携帯電話機１００は、表示部９を含む第１の筐体１１０と、操作部１１を含む第２の筐体１２０とを含む。第１の筐体１１０は、第１の筐体１１０の前面を覆う上ケース１、第１の筐体１１０の背面を覆う上カバー２、受話用のスピーカであるレシーバ８、情報を表示する表示部９、第１の筐体１１０の内部に設置されているスピーカ６が出力した音を前面に通過させる前面音孔１ａ、スピーカ６が出力した音を背面に通過させる背面音孔２ａ、およびアンテナ１０を含む。また、第１の筐体１１０は、内部に第１の装置基板５とスピーカ６とを備える。スピーカ６の前面側には、スピーカ６と上ケース１とを密着させるクッションが貼付され、スピーカ６の背面側には、スピーカ６と上カバー２とを密着させるクッションが貼付され、スピーカ６は、第１の装置基板５とコネクタで接続されている。表示部９は、例えば、ＬＣＤ（Ｌｉｑｕｉｄ  Ｃｒｙｓｔａｌ  Ｄｉｓｐｌａｙ）等で実現される。なお、前面音孔１ａの面積と背面音孔２ａの面積とは、同じであるものとする。
【００２２】
第２の筐体１２０は、第２の筐体１２０の前面を覆う下ケース３、第２の筐体１２０の背面を覆う下カバー４、装置基板５に操作を入力する操作部１１、および音声を入力するマイクロフォン７を含む。また、第２の筐体１２０は、内部に第２の装置基板（図示せず）を備える。操作部１１は、例えば、キーボード等で実現される。
【００２３】
第１の筐体１１０と第２の筐体１２０とは、ヒンジ部１２によって接続され、第１の装置基板５と第２の装置基板とは、ヒンジ部１２の内部の、例えば、コネクタやフレキシブル基板等を介して接続されている。なお、ヒンジ部１２は、第１の筐体１１０と第２の筐体１２０との間の振動や音の伝達を遮断する構造になっている。具体的には、ヒンジ部１２は、第１の筐体１１０と第２の筐体１２０との接続部分の間隙を、例えば、モールドやクッション等で塞いでいる。
【００２４】
図３は、第１の実施の形態の折畳式携帯電話機１００を閉じた状態の第１の筐体１１０の内部構造図である。第１の筐体１１０は、内部に、スピーカ６と第１の装置基板５を接続するコネクタおよび第１の装置基板５と第２の装置基板とを接続するコネクタ以外を通さないようにモールドやクッション等で塞ぐようにしてある壁２０、上カバー２に設けられているスピーカ用リブ２３とスピーカ６とを密着させるクッション２１、上ケース1に設けられているスピーカ用リブ２４とスピーカ６とを密着させるクッション２２、ヒンジ部１２に接続され、折畳式携帯電話機１００の開閉に連動して移動するシャフト（背面側シャフト）２５、ヒンジ部１２に接続され、折畳式携帯電話機１００の開閉に応じて移動するシャフト（前面側シャフト）２６、シャフト２５に接続され、シャフト２５の移動に連動して、折畳式携帯電話機１００が閉じた状態でクッション２１と密着する可動式リブ（背面側空間密閉手段）２７、シャフト２６に接続され、シャフト２６の移動に従って動き、折畳式携帯電話機１００が開いた状態でクッション２２と密着する可動式リブ（前面側空間密閉手段）２８、可動式リブ２７に接続され、可動式リブ２７の動きに連動して、折畳式携帯電話機１００が開いた状態で背面音孔２ａを塞ぐ背面音孔蓋（背面音孔閉塞手段）２９、および可動式リブ２８に接続され、可動式リブ２８の動きに連動して、折畳式携帯電話機１００が閉じた状態で前面音孔１ａを塞ぐ前面音孔蓋（前面音孔閉塞手段）３０を含む。
【００２５】
壁２０は、第１の装置基板５を含む空間と、スピーカ６を含む空間とを隔離し、壁２０とヒンジ部１２のクッション等とで、スピーカ６を含む空間を密閉する。図４は、折畳式携帯電話機１００を閉じた状態の前面音孔１ａと背面音孔２ａとの周囲の形状を説明する構造図である。
【００２６】
図４（ａ）は、背面音孔２ａの周囲の形状を説明する構造図である。スピーカ６および背面音孔２ａは、上カバー２に設けられているスピーカ用リブ２３、および可動式リブ２７によって周囲を覆われている。折畳式携帯電話機１００を閉じるときに、すなわち折畳式携帯電話機１００が開状態から閉状態に遷移するときに、シャフト２５は、図３の矢印で示した方向に移動する。シャフト２５が図３の矢印で示した方向に移動すると、可動式リブ２７は、スピーカ用リブ２３およびクッション２１と密着し、スピーカ６および背面音孔２ａの周囲を、背面音孔２ａによる穴を除いて密閉するように覆う。また、シャフト２５が図３の矢印で示した方向に移動すると、背面音孔蓋２９を上カバー２の内面に沿ってスライドさせ、背面音孔２ａを開放する。つまり、シャフト２５は、折畳式携帯電話機１００の開状態から閉状態への遷移に連動して、スピーカ６および背面音孔２ａの周囲を、背面音孔２ａによる穴を除いて密閉するように可動式リブ２７を移動させ、背面音孔２ａを開放するように背面音孔蓋２９を移動させる。
【００２７】
図４（ｂ）は、前面音孔１ａの周囲の形状を説明する構造図である。上ケース１に設けられているスピーカ用リブ２４および可動式リブ２８は、スピーカ６および前面音孔１ａの周囲を覆うことができる。折畳式携帯電話機１００を閉じるときに、すなわち折畳式携帯電話機１００が開状態から閉状態に遷移するときに、シャフト２６は、図３の矢印で示した方向に移動する。シャフト２６が図３の矢印で示した方向に移動すると、可動式リブ２８は、スピーカ用リブ２４およびクッション２２から離れ、開状態で密閉していたスピーカ６および背面音孔２ａの周囲の空間を開放するように移動する。また、シャフト２６が図３の矢印で示した方向に移動すると、前面音孔蓋３０を上ケース１の内面に沿ってスライドさせ、前面音孔１ａを塞ぐ。つまり、シャフト２６は、折畳式携帯電話機１００の開状態から閉状態への遷移に連動して、開状態で密閉していたスピーカ６および前面音孔１ａの周囲の空間を開放するように可動式リブ２８を移動させ、前面音孔１ａを塞ぐように前面音孔蓋３０を移動させる。その結果、折畳式携帯電話機１００を閉じた状態では、図３の例に示したように、背面音孔２ａは開放され、前面音孔１ａは前面音孔蓋３０によって塞がれる。
【００２８】
図５は、第１の実施の形態の折畳式携帯電話機１００を開いた状態の第１の筐体１１０の内部構造図である。図６は、折畳式携帯電話機１００を開いた状態の前面音孔１ａと背面音孔２ａとの周囲の形状を説明する構造図である。
【００２９】
図６（ａ）は、背面音孔２ａの周囲の形状を説明する構造図である。上カバー２に設けられているスピーカ用リブ２３および可動式リブ２７は、スピーカ６および背面音孔２ａの周囲を覆うことができる。折畳式携帯電話機１００を開くときに、すなわち折畳式携帯電話機１００が閉状態から開状態に遷移するときに、シャフト２５は、図５の矢印で示した方向に移動する。シャフト２５が図５の矢印で示した方向に移動すると、可動式リブ２７は、スピーカ用リブ２３およびクッション２１から離れ、閉状態で密閉していたスピーカ６および背面音孔２ａの周囲の空間を開放するように移動する。また、シャフト２５が図５の矢印で示した方向に移動すると、背面音孔蓋２９を上カバー２の内面に沿ってスライドさせ、背面音孔２ａを塞ぐ。つまり、シャフト２５は、折畳式携帯電話機１００の閉状態から開状態への遷移に連動して、閉状態で密閉していたスピーカ６および背面音孔２ａの周囲の空間を開放するように可動式リブ２７を移動させ、背面音孔２ａを塞ぐように背面音孔蓋２９を移動させる。
【００３０】
図６（ｂ）は、前面音孔１ａの周囲の形状を説明する構造図である。スピーカ６および前面音孔１ａは、上ケース１に設けられているスピーカ用リブ２４および可動式リブ２８によって周囲を覆われている。折畳式携帯電話機１００を開くときに、すなわち折畳式携帯電話機１００が閉状態から開状態に遷移するときに、シャフト２６は、図５の矢印で示した方向に移動する。シャフト２６が図５の矢印で示した方向に移動すると、可動式リブ２８は、スピーカ用リブ２４およびクッション２２と密着し、スピーカ６および前面音孔１ａの周囲を、前面音孔１ａによる穴を除いて密閉するように覆う。また、シャフト２６が図５の矢印で示した方向に移動すると、前面音孔蓋３０を上ケース１の内面に沿ってスライドさせ、前面音孔１ａを開放する。つまり、シャフト２６は、折畳式携帯電話機１００の閉状態から開状態への遷移に連動して、スピーカ６および前面音孔１ａの周囲を、前面音孔１ａによる穴を除いて密閉するように可動式リブ２８を移動させ、前面音孔１ａを開放するように前面音孔蓋３０を移動させる。その結果、折畳式携帯電話機１００を開いた状態では、図５の例に示したように、前面音孔１ａは開放され、背面音孔２ａは背面音孔蓋２９によって塞がれている。
【００３１】
本発明の第１の実施の形態の動作について説明する。ここで、図３において、スピーカ用リブ２３、可動式リブ２７、上カバー２、およびスピーカ６で覆われた空間（背面側空間）を空間Ｖ２とする。また、図５において、スピーカ用リブ２４、可動式リブ２８、上ケース１、およびスピーカ６で覆われた空間（前面側空間）を空間Ｖ３とする。さらに、壁２０、上ケース１、上カバー２、およびヒンジ部１２のクッションで覆われた空間のうち、空間Ｖ２と空間Ｖ３を除いた空間を空間Ｖ１とする。そして、可動式リブ２７が、スピーカ用リブ２３およびクッション２１と密着したときの空間Ｖ２の体積と、可動式リブ２８が、スピーカ用リブ２４およびクッション２２と密着したときの空間Ｖ３の体積とは、同じであるものとする。
【００３２】
折畳式携帯電話機１００が閉じた状態では、背面音孔２ａは開放され、背面側空間である空間Ｖ２は、背面音孔２ａによる穴を除いて密閉され、前面音孔１ａは前面音孔蓋３０によって塞がれ、前面側空間である空間Ｖ３は開放されて空間Ｖ１とつながっている。このとき、スピーカ６が、例えば、着信音を出力すると、背面音孔２ａから着信音が放出される。このとき、空間Ｖ２は、スピーカ６の前気室（前面容積）になり、空間Ｖ１および空間Ｖ３は、スピーカ６の後気室（背面容積）となる。
【００３３】
折畳式携帯電話機１００が開かれると、シャフト２５およびシャフト２６が図５の矢印で示した方向に移動し、可動式リブ２７をスピーカ用リブ２３およびクッション２１から離して空間Ｖ２を開放して空間Ｖ２と空間Ｖ１とをつなげ、背面音孔蓋２９を上カバー２の内面に沿ってスライドさせ、背面音孔２ａを塞ぐ。また、可動式リブ２８は、スピーカ用リブ２４およびクッション２２と密着して空間Ｖ３を前面音孔１ａによる穴を除いて密閉し、前面音孔蓋３０を上ケース１の内面に沿ってスライドさせ、前面音孔１ａを開放する。
【００３４】
折畳式携帯電話機１００が開いた状態で、スピーカ６が、例えば、着信音を出力すると、開放されている前面音孔１ａから着信音が放出される。このとき、空間Ｖ３は、スピーカ６の前気室（前面容積）になり、空間Ｖ１および空間Ｖ２は、スピーカ６の後気室（背面容積）となる。
【００３５】
以上、述べたように、この実施の形態によれば、空間Ｖ２と空間Ｖ３との体積が同じであるため、折畳式携帯電話機１００を閉じた状態と、開いた状態とで、スピーカ６の前気室、および後気室の体積が同じになる。そのため、折畳式携帯電話機１００を閉じた状態と、開いた状態とで、放出される音の音圧および周波数特性が同じになり、折畳式携帯電話機１００の開閉による音圧や周波数特性の変化を防ぐことができるという効果がある。
【００３６】
また、この実施の形態では、折畳式携帯電話機１００を閉じた状態と、開いた状態とで、スピーカ６が出力する音を同様の音圧および周波数特性で放出するように構成したが、この構成を、マイクロフォン７の特性および実装位置を考慮した上で、レシーバ８に適用してもよい。すると、折畳式携帯電話機１００を開いた状態と同様に、閉じた状態でも通話することが可能になる。
【００３７】
実施の形態２．
本発明の第２の実施の形態について説明する。本発明の第２の実施の形態は、下ケース３が、折畳式携帯電話機１００を閉じた状態で前面音孔１ａを完全に塞ぐような突起状のリブ（突起部）を有し、第１の筐体１１０は、前面音孔蓋３０を有さない。その他の構成は第１の実施の形態と同様なため、その他の構成要素には図１〜図６と同じ符号を付して説明を省略する。
【００３８】
折畳式携帯電話機１００を閉じるときに、すなわち折畳式携帯電話機１００が開状態から閉状態に遷移するときに、シャフト２５は、図３の矢印で示した方向に移動する。シャフト２５が図３の矢印で示した方向に移動すると、可動式リブ２７は、スピーカ用リブ２３およびクッション２１と密着し、スピーカ６および背面音孔２ａの周囲を、背面音孔２ａによる穴を除いて密閉するように覆う。また、シャフト２５が図３の矢印で示した方向に移動すると、背面音孔蓋２９を上カバー２の内面に沿ってスライドさせ、背面音孔２ａを開放する。つまり、シャフト２５は、折畳式携帯電話機１００の開状態から閉状態への遷移に連動して、スピーカ６および背面音孔２ａの周囲を、背面音孔２ａによる穴を除いて密閉するように可動式リブ２７を移動させ、背面音孔２ａを開放するように背面音孔蓋２９を移動させる。
【００３９】
折畳式携帯電話機１００を閉じるときに、すなわち折畳式携帯電話機１００が開状態から閉状態に遷移するときに、シャフト２６は、図３の矢印で示した方向に移動する。シャフト２６が図３の矢印で示した方向に移動すると、可動式リブ２８は、スピーカ用リブ２４およびクッション２２から離れ、開状態で密閉していたスピーカ６および背面音孔２ａの周囲の空間を開放するように移動する。つまり、シャフト２６は、折畳式携帯電話機１００の開状態から閉状態への遷移に連動して、開状態で密閉していたスピーカ６および前面音孔１ａの周囲の空間を開放するように可動式リブ２８を移動させる。また、第２の筐体１２０の下ケース３が有する突起状のリブが、前面音孔１ａを塞ぐ。その結果、折畳式携帯電話機１００を閉じた状態では、背面音孔２ａは開放され、前面音孔１ａは第２の筐体１２０の下ケース３が有する突起状のリブによって塞がれる。
【００４０】
折畳式携帯電話機１００を開くときに、すなわち折畳式携帯電話機１００が閉状態から開状態に遷移するときに、シャフト２５は、図５の矢印で示した方向に移動する。シャフト２５が図５の矢印で示した方向に移動すると、可動式リブ２７は、スピーカ用リブ２３およびクッション２１から離れ、閉状態で密閉していたスピーカ６および背面音孔２ａの周囲の空間を開放するように移動する。また、シャフト２５が図５の矢印で示した方向に移動すると、背面音孔蓋２９を上カバー２の内面に沿ってスライドさせ、背面音孔２ａを塞ぐ。つまり、シャフト２５は、折畳式携帯電話機１００の閉状態から開状態への遷移に連動して、閉状態で密閉していたスピーカ６および背面音孔２ａの周囲の空間を開放するように可動式リブ２７を移動させ、背面音孔２ａを塞ぐように背面音孔蓋２９を移動させる。
【００４１】
折畳式携帯電話機１００を開くときに、すなわち折畳式携帯電話機１００が閉状態から開状態に遷移するときに、シャフト２６は、図５の矢印で示した方向に移動する。シャフト２６が図５の矢印で示した方向に移動すると、可動式リブ２８は、スピーカ用リブ２４およびクッション２２と密着し、スピーカ６および前面音孔１ａの周囲を、前面音孔１ａによる穴を除いて密閉するように覆う。つまり、シャフト２６は、折畳式携帯電話機１００の閉状態から開状態への遷移に連動して、スピーカ６および前面音孔１ａの周囲を、前面音孔１ａによる穴を除いて密閉するように可動式リブ２８を移動させる。また、第２の筐体１２０の下ケース３が有する突起状のリブは、前面音孔１ａを開放する。その結果、折畳式携帯電話機１００を開いた状態では、前面音孔１ａは開放され、背面音孔２ａは背面音孔蓋２９によって塞がれる。
【００４２】
以上述べたように、この実施の形態によれば、閉状態で、第２の筐体１２０の下ケース３が有する突起状のリブが、前面音孔１ａを塞ぐので、前面音孔蓋３０がなくても第１の実施の形態と同様な効果を得ることができる。
【００４３】
実施の形態３．
本発明の第３の実施の形態について、図面を参照して説明する。図７は、第３の実施の形態における折畳式携帯電話機１００の第１の筐体１１０の一外観例を説明する正面図である。この実施の形態では、折畳式携帯電話機１００の第１の筐体１１０の前面に、表示部９と前面音孔１ａとを覆うようにクッション１４を介して板１３を設置している。その他の構成は第１の実施の形態と同様なため、その他の構成要素には図１〜図６と同じ符号を付して説明を省略する。
【００４４】
図８は、第３の実施の形態の折畳式携帯電話機１００を開いた状態の第１の筐体１１０の内部構造図である。板１３は、クッション１４を介して上ケース１に接着されている。なお、板１３は、表示部９の表示を透過する程度に透明であって、例えば、ポリスチレン等のプラスチックの板であり、極力薄いことが好ましい。
【００４５】
折畳式携帯電話機１００を開いた状態で、スピーカ６が、例えば、着信音を出力すると、開放されている前面音孔１ａから着信音が放出される。すると、上ケース１とクッション１４と板１３とによって密閉されている空間Ｖ４を介して、着信音による空気の振動が板１３に伝達される。そして、板１３は、伝達された空気の振動に従って振動し、着信音を折畳式携帯電話機１００の前面に放出する。
【００４６】
折畳式携帯電話機１００を閉じた状態の動作は、第１の実施の形態における動作と同様なため、説明を省略する。
【００４７】
以上、述べたように、この実施の形態によれば、スピーカ６が出力した着信音を、表示部９と前面音孔１ａとを覆う面の全面から放出することができる。なお、空間Ｖ４の体積が、空間Ｖ２および空間Ｖ３の体積と比較して無視できる程度（スピーカ６が出力した音の音圧および周波数特性に影響を与えない程度）の大きさであり、板１３が、スピーカ６が出力した音の音圧および周波数特性に影響を与えない特性を有していれば、第１の実施の形態における効果と同様に、折畳式携帯電話機１００を閉じた状態と、開いた状態とで、放出される音の音圧および周波数特性が同じになり、折畳式携帯電話機１００の開閉による音圧や周波数特性の変化を防ぐことができる。
【００４８】
なお、前述した各実施の形態における各クッションは、例えば、スポンジやウレタンフォームであり、より高密度であることが好ましい。例えば、２００ｋｇ／ｍ３や、４８０ｋｇ／ｍ３等である。
【産業上の利用可能性】
【００４９】
本発明は、折畳式携帯電話機や、折畳式ＰＤＡ等に適用することができる。
【図面の簡単な説明】
【００５０】
【図１】折畳式携帯電話機の第１の実施の形態の一外観例を示す正面図である。
【図２】折畳式携帯電話機の第１の実施の形態の一外観例を示す側面図である。
【図３】第１の実施の形態の折畳式携帯電話機を閉じた状態の第１の筐体の内部構造図である。
【図４】折畳式携帯電話機を閉じた状態の前面音孔と背面音孔との周囲の形状を説明する構造図である。
【図５】第１の実施の形態の折畳式携帯電話機を開いた状態の第１の筐体の内部構造図である。
【図６】折畳式携帯電話機を開いた状態の前面音孔と背面音孔との周囲の形状を説明する構造図である。
【図７】第３の実施の形態における折畳式携帯電話機の第１の筐体の一外観例を説明する正面図である。
【図８】第３の実施の形態の折畳式携帯電話機を開いた状態の第１の筐体の内部構造図である。
【符号の説明】
【００５１】
１  上ケース
１ａ  前面音孔
２  上カバー
２ａ  背面音孔
３  下ケース
４  下カバー
５  第１の装置基板
６  スピーカ
７  マイクロフォン
８  レシーバ
９  表示部
１０  アンテナ
１１  操作部
１２  ヒンジ部
１３  板
１４、２１、２２  クッション
２０  壁
２３、２４  スピーカ用リブ
２５、２６  シャフト
２７、２８  可動式リブ
２９  背面音孔蓋
３０  前面音孔蓋
１００  折畳式携帯電話機
１１０  第１の筐体
１２０  第２の筐体
Ｖ１、Ｖ２、Ｖ３、Ｖ４  空間
【図１】
2006060400.tif 000003
【図２】
2006060400.tif 000004
【図３】
2006060400.tif 000005
【図４】
2006060400.tif 000006
【図５】
2006060400.tif 000007
【図６】
2006060400.tif 000008
【図７】
2006060400.tif 000009
【図８】
2006060400.tif 000010